(57)【要約】      （修正有）【課題】マウス機能を有するホイールを本体筐体に搭載することにより、従来と比較して一段と携帯性を向上させることができるコンピュータ装置を提供する。【解決手段】本体筐体２０の上面に配置されたタッチパッド６０の近傍、又は本体筐体２０の側面に設けられた円盤状のマウスホイール１３０と、本体筐体２０の上面に配置されたタッチパッド６０の近傍、又は本体筐体２０の側面に設けられた開口部１４０と、本体筐体２０の内部に設けられ、マウスホイール１３０の一部を開口部１４０から露出させるようにして、マウスホイール１３０を回動可能に支持する支持部１５０、１６０Ａ及び１６０Ｂと、マウスホイール１３０の回転量に応じた電気信号を生成するホイールエンコーダとを備える。【選択図】図１
0003208660.tif 000002
【実用新案登録請求の範囲】
【請求項１】
矩形平板状の本体筐体に矩形平板状のディスプレイ筐体が回動可能に連結されたコンピュータ装置において、
前記本体筐体の上面に配置されたタッチパッドの近傍、又は前記本体筐体の側面に設けられた円盤状のマウスホイールと、
前記本体筐体の上面に配置されたタッチパッドの近傍、又は前記本体筐体の側面に、長手方向の長さが前記マウスホイールの直径より短く、かつ幅方向の長さが前記マウスホイールの厚さより長くなるように形成され、長手方向がユーザの視線の方向と並行になるように設けられた開口部と、
前記本体筐体の内部に設けられ、前記マウスホイールの一部を前記開口部から露出させるようにして、前記マウスホイールを回動可能に支持する支持部と、
前記マウスホイールの回転量に応じた電気信号を生成するホイールエンコーダと
を備えることを特徴とするコンピュータ装置
【考案の詳細な説明】
【技術分野】
【０００１】
本考案は、コンピュータ装置に関する。
【背景技術】
【０００２】
近年、コンピュータ装置として、携帯性を向上させたノート型パーソナルコンピュータが広く普及している。
【考案の概要】
【考案が解決しようとする課題】
【０００３】
本考案は、マウス機能を有するホイールを本体筐体に搭載することにより、従来と比較して一段と携帯性を向上させることができるコンピュータ装置を提供することを目的とする。
【課題を解決するための手段】
【０００４】
本考案のコンピュータ装置は、
矩形平板状の本体筐体に矩形平板状のディスプレイ筐体が回動可能に連結されたコンピュータ装置において、
前記本体筐体の上面に配置されたタッチパッドの近傍、又は前記本体筐体の側面に設けられた円盤状のマウスホイールと、
前記本体筐体の上面に配置されたタッチパッドの近傍、又は前記本体筐体の側面に、長手方向の長さが前記マウスホイールの直径より短く、かつ幅方向の長さが前記マウスホイールの厚さより長くなるように形成され、長手方向がユーザの視線の方向と並行になるように設けられた開口部と、
前記本体筐体の内部に設けられ、前記マウスホイールの一部を前記開口部から露出させるようにして、前記マウスホイールを回動可能に支持する支持部と、
前記マウスホイールの回転量に応じた電気信号を生成するホイールエンコーダと
を備える。
【考案の効果】
【０００５】
本考案のコンピュータ装置によれば、マウス機能を有するホイールを本体筐体に搭載することにより、従来と比較して一段と携帯性を向上させることができる。
【図面の簡単な説明】
【０００６】
【図１】本考案の実施の形態によるコンピュータ装置の構成を示す斜視図及び縦断面図である。
【図２】本考案の実施の形態によるコンピュータ装置の構成を示すブロック図である。
【図３】他の実施の形態によるコンピュータ装置の構成を示す斜視図である。
【考案を実施するための形態】
【０００７】
以下、本考案の実施の形態について図面を参照して説明する。
【０００８】
図１及び図２は、本考案の実施の形態によるコンピュータ装置１０の構成を示す。このうち、図１（ａ）は、コンピュータ装置１０の斜視図を示し、図１（ｂ）は、図１（ａ）中のＡ−Ａ’線に沿って切断した場合における、ホイール１３０付近の縦断面図を示し、図１（ｃ）は、図１（ａ）中のＢ−Ｂ’線に沿って切断した場合における、ホイール１３０付近の縦断面図を示し、図２は、コンピュータ装置１０のブロック図を示す。
【０００９】
コンピュータ装置１０は、例えばノート型パーソナルコンピュータからなり、本体筐体２０にディスプレイ筐体３０を回動可能に連結することにより構成され、本体筐体２０に対してディスプレイ筐体３０を開閉し得るようになされている。
【００１０】
本体筐体２０は、矩形平板状に形成され、その上面には、入力部４０として、キーボード５０と、マウスポインタの操作を行うための平板状のタッチパッド６０とが設けられている。
【００１１】
また、本体筐体２０は、その内部に、制御部８０、記憶部９０、送受信処理部１００及びアンテナ１１０を収納する。
【００１２】
一方、ディスプレイ筐体３０は、矩形平板状に形成され、当該ディスプレイ筐体３０のうち、本体筐体２０の上面と対向する面側には、表示部１２０が設けられている。
【００１３】
ところで、本実施の形態の場合には、マウス機能を有するホイール１３０が本体筐体２０に搭載されている。
【００１４】
具体的には、ホイール１３０は、円盤状に形成され、本体筐体２０の上面のうちタッチパッド６０の近傍に設けられた開口部１４０から、その一部が露出するように配置されている。
【００１５】
開口部１４０は、本体筐体２０上面のタッチパッド６０近傍に、長手方向の長さがホイール１３０の直径より短く、かつ幅方向の長さがホイール１３０の厚さより長くなるように形成され、長手方向がユーザの視線の方向（すなわち、ユーザが表示部１２０を目視する方向）と並行になるように設けられている。
【００１６】
ホイール１３０の中央部分には、当該ホイール１３０と直交する方向に、回動軸１５０が一体的に設けられ、ホイール１３０は、回動軸１５０と共に回動するようになされている。
【００１７】
本体筐体２０の内部には、ホイール１３０及び回動軸１５０を支持するための第１及び第２の支持部１６０Ａ及び１６０Ｂが、ホイール１３０の両側に設けられている。
【００１８】
第１及び第２の支持部１６０Ａ及び１６０Ｂの上端付近には、断面が凹型形状に形成され、回動軸１５０の外径より大きい内径を有する第１及び第２の孔１７０Ａ及び１７０Ｂがそれぞれ設けられている。
【００１９】
このうち第１の孔１７０Ａに回動軸１５０の一端を嵌合させると共に、第２の孔１７０Ｂに回動軸１５０の他端を嵌合させ、ホイール１３０及び回動軸１５０を第１及び第２の支持部１６０Ａ及び１６０Ｂによって回動自在に支持することにより、ホイール１３０を前後方向に回動させることができるようになされている。
【００２０】
なお、本体筐体２０及びディスプレイ筐体３０は開閉動作を行うことから、ホイール１３０が本体筐体２０の上面から突出することを回避しつつも、ホイール１３０の操作性を確保することが必要とされる。
【００２１】
このため、ホイール１３０は、開口部１４０から露出している部分のうち、その上端の高さが、本体筐体２０の上面の高さと同一になるように配置され、また、本体筐体２０の上面のうち、開口部１４０の周囲には、本体筐体２０の上面より高さが低くなるように形成された窪み部１８０が設けられている。
【００２２】
これにより、ユーザがホイール１３０を前後方向に回転させると、ホイールエンコーダ７０は、ホイール１３０の回転量に応じた電気信号を生成し、これを制御部８０に供給する。制御部８０は、このホイールエンコーダ７０から供給された電気信号に基づいて、表示部１２０におけるスクロール操作を実行する。
【００２３】
従って、本実施の形態によれば、マウス機能を有するホイール１３０を本体筐体２０に搭載することにより、従来と比較して一段と携帯性を向上させることができる。
【００２４】
なお、上述の実施の形態においては、本体筐体２０の上面のうちタッチパッド６０の近傍に、ホイール１３０を設けた場合について述べたが、本考案はこれに限らず、例えば、図１との対応部分に同一符号を付した図３に示すコンピュータ装置２００のように、本体筐体２０の側面に開口部２２０を設け、当該開口部２２０からホイール２１０の一部を露出させるようにしてホイール２１０を支持及び配置しても良い。
【００２５】
すなわち、本実施の形態の場合、矩形平板状の本体筐体２０に矩形平板状のディスプレイ筐体３０が回動可能に連結されたコンピュータ装置１０は、本体筐体２０の上面に配置されたタッチパッド６０の近傍、又は本体筐体２０の側面に設けられた円盤状のマウスホイール（すなわちホイール１３０又は２１０）と、本体筐体２０の上面に配置されたタッチパッド６０の近傍、又は本体筐体２０の側面に、長手方向の長さがマウスホイール（すなわちホイール１３０又は２１０）の直径より短く、かつ幅方向の長さがマウスホイール（すなわちホイール１３０又は２１０）の厚さより長くなるように形成され、長手方向がユーザの視線の方向と並行になるように設けられた開口部１４０又は２２０と、本体筐体２０の内部に設けられ、マウスホイール（すなわちホイール１３０又は２１０）の一部を開口部１４０又は２２０から露出させるようにして、マウスホイール（すなわちホイール１３０又は２１０）を回動可能に支持する支持部（すなわち回動軸１５０並びに第１及び第２の支持部１６０Ａ及び１６０Ｂ）と、マウスホイール（すなわちホイール１３０又は２１０）の回転量に応じた電気信号を生成するホイールエンコーダ７０とを備える。
【００２６】
なお、この場合、マウスホイールは、ホイール１３０又は２１０に対応し、支持部は、回動軸１５０並びに第１及び第２の支持部１６０Ａ及び１６０Ｂに対応する。
【符号の説明】
【００２７】
１０  コンピュータ装置
２０  本体筐体
３０  ディスプレイ筐体
６０  タッチパッド
７０  ホイールエンコーダ
１３０  ホイール
１４０  開口部
１５０  回動軸
１６０Ａ  第１の支持部
１６０Ｂ  第２の支持部
１７０Ａ  第１の孔
１７０Ｂ  第２の孔
１８０  窪み部
【図１】
0003208660.tif 000003
【図２】
0003208660.tif 000004
【図３】
0003208660.tif 000005